(57)【要約】【課題】  施設等の管理者が、カメラの映像を見て、何等かの報告すべき状況を把握した場合に、当該管理者の操作をトリガーとして、静止画や映像ファイルをサーバにアップロードすることができる映像監視システムを提供することにある。【解決手段】  処理装置２００は、施設管理者（第１の操作者）が指定した映像ファイルを、映像記録部２７の第１の記録ボックス１２１に記録する。  そして、処理装置２００は、当該第１の記録ボックスに記録された映像ファイルを施設管理者によって指定された属性と共に、施設管理者による操作（マニュアル）に応じてサーバ３００に送信（アップロード）する第１の処理を行う。【選択図】図１
2019106650.tif 000002
【特許請求の範囲】
【請求項１】
カメラと、
前記カメラが撮像した映像を複数の映像ファイルからなるファイル形式で記録する第１の映像記録部を備えた処理装置と、
前記処理装置から前記映像ファイルを受信し、当該映像ファイルを記録する第２の映像記録部を備えたサーバと
を有し、
前記処理装置は、前記映像ファイルに応じた映像を表示し、当該処理装置の第１の操作者が指定した映像ファイルを、前記映像記録部の所定の第１の記録ボックスに記録し、当該記録ボックスに記録された前記映像ファイルあるいはそれに対応した静止画を前記第１の操作者によって指定された属性とともに、前記第１の操作者による操作に応じて前記サーバに送信する第１の処理を行う
映像監視システム。
【請求項２】
前記処理装置は、予め決められた所定の条件で前記映像記録部に記憶された前記映像ファイルに関係する静止画を前記サーバに送信する第２の処理を行い、
前記サーバは、当該サーバの第２の操作者の操作に応じて、指定された前記映像ファイルの取得指示を前記処理装置に送信し、
前記処理装置は、前記サーバからの前記取得指示に対応する前記映像ファイルを前記サーバに送信する第３の処理を行う
請求項１に記載の映像監視システム。
【請求項３】
前記カメラの撮像範囲に関係する領域の状態を検出するセンサ
をさらに有し、
処理装置は、前記第２の処理において、前記センサの検出情報が前記予め決められた所定の条件を満たした場合に、それをトリガーとして前記映像ファイルを当該検出情報と関連付けて前記サーバに送信する
請求項２に記載の映像監視システム。
【請求項４】
前記サーバは、
前記処理装置から前記第１の処理に応じて受信した前記映像ファイルあるいは前記静止画を前記第２の記録ボックスに記録し、
前記処理装置から前記第２の処理及び前記第３の処理に応じて受信した前記映像ファイルあるいは前記静止画を第３の記録ボックスに記録し、
前記第２の記録ボックスと前記第３の記録ボックスとを個別に容量管理する
請求項２に記載の映像監視システム。
【請求項５】
前記第２の処理及び前記第３の処理は、
前記処理装置が、前記映像ファイルから所定の時間間隔で抽出した静止画像をサーバへ送信し、
前記サーバが、静止画像を管理者端末へ送信し、
前記管理者端末が、前記静止画像を指定するための入力を受け付け、
前記サーバが、前記指定された前記静止画像を特定するための情報を前記処理装置に送信し、
前記処理装置が、前記指定された前記静止画像を含む映像ファイルを前記サーバに送信し、
前記サーバは、前記処理装置から受信した映像ファイルを前記管理者端末に送信する、
請求項２に記載の映像監視システム。
【請求項６】
前記処理装置は、
複数のカメラが撮像した映像を表示するカメラリアルタイム映像表示欄と、
指定されたカメラのサムネイル表示をする日を指定するために用いられるカレンダー表示欄と、
前記指定された日における時間を指定するために時間表示欄と、
前記指定されたカメラの前記指定された日における前記指定された時間のサムネイル画像を表示するカメラサムネイル表示欄と、
アップロードする画像の属性を指定する画像属性指定欄と
を有し、
アップロード指示が入力されると、カメラサムネイル表示欄において表示された画像に係る画像を、前記指定された属性とともに前記サーバに送信する
請求項１〜５のいずれかに記載の映像監視システム。
【請求項７】
前記カメラが撮像した映像を複数の映像ファイルからなるファイル形式で記録する映像記録部を備えた処理装置であって、
前記映像ファイルに応じた映像を表示し、
当該処理装置の操作者が指定した映像ファイルを、前記映像記録部の所定の第１の記録ボックスに記録し、
当該記録ボックスに記録された前記映像ファイルあるいはそれに対応した静止画を前記操作者によって指定された属性とともに、前記操作者による操作に応じてサーバに送信する第１の処理を行う
処理装置。
【請求項８】
カメラと、
前記カメラが撮像した映像を複数の映像ファイルからなるファイル形式で記録する第１の映像記録部を備えた処理装置と、
前記処理装置から前記映像ファイルを受信し、当該映像ファイルを記録する第２の映像記録部を備えたサーバと
を用いて行う映像監視方法であって、
前記処理装置は、前記映像ファイルに応じた映像を表示し、当該処理装置の第１の操作者が指定した映像ファイルを、前記映像記録部の所定の第１の記録ボックスに記録し、当該記録ボックスに記録された前記映像ファイルあるいはそれに対応した静止画を前記第１の操作者によって指定された属性とともに、前記第１の操作者による操作に応じて前記サーバに送信する第１の処理を行う
映像監視方法。
【発明の詳細な説明】
【技術分野】
【０００１】
本発明は、映像監視システム及びその方法と処理装置に関するものである。
【背景技術】
【０００２】
施設等の監視場所を管理する管理者が所有する管理者端末が、監視場所に設置されたカメラから送信される動画を表示することで、監視場所を監視するシステムが知られている。
【０００３】
このようなシステムでは、カメラが撮像した映像を処理装置にファイル形式で記憶する。
処理装置は、例えば、撮像範囲等に設置されたセンサが所定の状態を検出したタイミングや、一定時間間隔で、静止画をサーバに送信（アップロード）する。
サーバは、処理装置からの静止画を含むサムネイルを表示する管理画面を管理者端末のディスプレイに表示する。
【０００４】
従来は、処理装置からサーバへの静止画及び映像ファイルのアップロードのトリガーを、施設等の管理者の操作によって発生することはできない。
【先行技術文献】
【特許文献】
【０００５】
【特許文献１】特開２００６−１１５４３５号公報
【発明の概要】
【発明が解決しようとする課題】
【０００６】
、施設等の管理者が、カメラの映像を見て、何等かの報告すべき状況を把握した場合に、当該管理者の操作をトリガーとして、静止画や映像ファイルをサーバにアップロードしたいという要請がある。
【０００７】
本発明はかかる事情に鑑みてなされたものであり、その目的は、施設等の管理者が、カメラの映像を見て、何等かの報告すべき状況を把握した場合に、当該管理者の操作をトリガーとして、静止画や映像ファイルをサーバにアップロードすることができる映像監視システム及びその方法と処理装置を提供することにある。
【課題を解決するための手段】
【０００８】
上述した従来技術の問題を解決し、上述した目的を達成するために、本発明の映像システムは、カメラと、前記カメラが撮像した映像を複数の映像ファイルからなるファイル形式で記録する第１の映像記録部を備えた処理装置と、前記処理装置から前記映像ファイルを受信し、当該映像ファイルを記録する第２の映像記録部を備えたサーバとを有し、前記処理装置は、前記映像ファイルに応じた映像を表示し、当該処理装置の第１の操作者が指定した映像ファイルを、前記映像記録部の所定の第１の記録ボックスに記録し、当該記録ボックスに記録された前記映像ファイルあるいはそれに対応した静止画を前記第１の操作者によって指定された属性とともに、前記第１の操作者による操作に応じて前記サーバに送信する第１の処理を行う。
【０００９】
好適には、前記処理装置は、予め決められた所定の条件で前記映像記録部に記憶された前記映像ファイルに関係する静止画を前記サーバに送信する第２の処理を行い、前記サーバは、当該サーバの第２の操作者の操作に応じて、指定された前記映像ファイルの取得指示を前記処理装置に送信し、前記処理装置は、前記サーバからの前記取得指示に対応する前記映像ファイルを前記サーバに送信する第３の処理を行う。
【００１０】
好適には、前記カメラの撮像範囲に関係する領域の状態を検出するセンサをさらに有し、処理装置は、前記第２の処理において、前記センサの検出情報が前記予め決められた所定の条件を満たした場合に、それをトリガーとして前記映像ファイルを当該検出情報と関連付けて前記サーバに送信する。
【００１１】
好適には、前記サーバは、前記処理装置から前記第１の処理に応じて受信した前記映像ファイルあるいは前記静止画を前記第２の記録ボックスに記録し、前記処理装置から前記第２の処理及び前記第３の処理に応じて受信した前記映像ファイルあるいは前記静止画を第３の記録ボックスに記録し、前記第２の記録ボックスと前記第３の記録ボックスとを個別に容量管理する。
【００１２】
好適には、前記第２の処理及び前記第３の処理は、前記処理装置が、前記映像ファイルから所定の時間間隔で抽出した静止画像をサーバへ送信し、前記サーバが、静止画像を管理者端末へ送信し、前記管理者端末が、前記静止画像を指定するための入力を受け付け、前記サーバが、前記指定された前記静止画像を特定するための情報を前記処理装置に送信し、前記処理装置が、前記指定された前記静止画像を含む映像ファイルを前記サーバに送信し、前記サーバは、前記処理装置から受信した映像ファイルを前記管理者端末に送信する。
【００１３】
好適には、前記処理装置は、複数のカメラが撮像した映像を表示するカメラリアルタイム映像表示欄と、指定されたカメラのサムネイル表示をする日を指定するために用いられるカレンダー表示欄と、前記指定された日における時間を指定するために時間表示欄と、前記指定されたカメラの前記指定された日における前記指定された時間のサムネイル画像を表示するカメラサムネイル表示欄と、アップロードする画像の属性を指定する画像属性指定欄とを有し、アップロード指示が入力されると、カメラサムネイル表示欄において表示された画像に係る画像を、前記指定された属性とともに前記サーバに送信する。
【００１４】
本発明の処理装置は、前記カメラが撮像した映像を複数の映像ファイルからなるファイル形式で記録する映像記録部を備えた処理装置であって、前記映像ファイルに応じた映像を表示し、当該処理装置の操作者が指定した映像ファイルを、前記映像記録部の所定の第１の記録ボックスに記録し、当該記録ボックスに記録された前記映像ファイルあるいはそれに対応した静止画を前記操作者によって指定された属性とともに、前記操作者による操作に応じてサーバに送信する第１の処理を行う。
【００１５】
本発明の映像監視方法は、カメラと、前記カメラが撮像した映像を複数の映像ファイルからなるファイル形式で記録する第１の映像記録部を備えた処理装置と、前記処理装置から前記映像ファイルを受信し、当該映像ファイルを記録する第２の映像記録部を備えたサーバとを用いて行う映像監視方法であって、前記処理装置は、前記映像ファイルに応じた映像を表示し、当該処理装置の第１の操作者が指定した映像ファイルを、前記映像記録部の所定の第１の記録ボックスに記録し、当該記録ボックスに記録された前記映像ファイルあるいはそれに対応した静止画を前記第１の操作者によって指定された属性とともに、前記第１の操作者による操作に応じて前記サーバに送信する第１の処理を行う。
【発明の効果】
【００１６】
本発明によれば、施設等の管理者が、カメラの映像を見て、何等かの報告すべき状況を把握した場合に、当該管理者の操作をトリガーとして、静止画や映像ファイルをサーバにアップロードすることができる映像監視システム及びその方法と処理装置を提供することができる。
【図面の簡単な説明】
【００１７】
【図１】図１は、本発明の第１の実施形態に係る映像監視システムの構成図である。
【図２】図２は、図１に示す処理装置のディスプレイに表示される録画再生ビュー画面を説明するための図である。
【図３】図３は、図１に示す処理装置のディスプレイに表示されるアップロードダイアログ画面を説明するための図である。
【図４】図４は、図１に示す第１の実施形態に係る映像監視システムの動作を説明するためのフローチャートである。
【図５】図５は、図１に示す第１の実施形態に係る映像監視システムの動作を説明するためのフローチャートであって、図４に続く図である。
【図６】図６は、図１に示す第１の実施形態に係る映像監視システムのその他の動作を説明するためのフローチャートである。
【発明を実施するための形態】
【００１８】
［全体構成］
以下、本発明の実施形態について説明する。
図１は、本発明の実施形態に係る映像監視システム１の一例を示す図である。
図１に示す映像監視システム１０は、例えば、複数のカメラ１００、複数のセンサ１２０、処理部（ＶＭＳ）２００、サーバ３００、管理者端末４００とを有する。
【００１９】
カメラ１００、センサ１２０及び処理装置２００は、映像監視システム１の監視対象となる施設内に配置されている。また、監視対象となる施設は複数存在してもよい。すなわち、複数の処理装置２００があってもよい。
処理装置２００とサーバ３００、並びにサーバ３００と管理者端末４００とはネットワークを介して接続されている。
【００２０】
映像監視システム１では、施設管理者による処理装置２００の操作をトリガー（インシデント）として、処理装置２００からサーバ３００に映像ファイルが送信（アップロード）される。
すなわち、処理装置２００を操作する施設管理者（第１の操作者）が、サーバ３００に映像ファイルをアップロードするトリガーを作る。
これより、センサ１２０が反応しないが、報告すべき映像ファイルを処理装置２００からサーバ３００にアップロードできる。
【００２１】
［カメラ１００及びセンサ１２０］
カメラ１００は、映像（動画・静止画）を撮像する機能を有する。カメラ１００は、例えば、撮像部、メモリ１１及び処理部１３を有する
【００２２】
カメラ１００の処理部１３は、撮像部で撮像した映像（動画）を複数の映像ファイルからなる映像ファイル形式あるいはそれ以外の形式でメモリ１１に記憶する。
また、カメラ１００は、センサ１２０からのセンサ信号を基に、予め決められた状態を検出した場合に、それを検出したタイミングの映像ファイルあるいは映像データに、当該検出に関する属性情報を関連付ける。
センサ１２０は、例えば、光センサ、音センサ、振動センサ、温度センサ等であり、カメラ１００の撮像範囲、あるいはその周辺に設けられている。
センサ１２０としては、物理的なセンサ以外にも、カメラまたは処理装置２００にて映像データを分析し検出する論理的なセンサも含まれまる。また、本発明は、センサ１２０を用いなくてもよい。
【００２３】
カメラ１００は、予め決められた所定のタイミングで、メモリ１１から映像ファイルあるいは映像データ、並びにセンサ信号に関する情報を読み出して処理装置２００に送信する。
【００２４】
［処理装置（映像記録装置）２００］
処理装置２００は、例えば、操作部２１、ディスプレイ２３、メモリ２５、映像記録部２７及び処理部２９を有する。
処理装置２００は、カメラ１００が撮像した映像を複数の映像ファイルからなるファイル形式で映像記録部２７に記録する。
【００２５】
処理装置２００は、カメラ１００からの受信した映像ファイルに応じた映像をディスプレイ２３に表示する。
処理装置２００は、施設管理者（第１の操作者）が指定した映像ファイルを、映像記録部２７の第１の記録ボックス１２１に記録する。
そして、処理装置２００は、第１の記録ボックス１２１に記録された映像ファイルを施設管理者によって指定された属性と共に、施設管理者による操作（マニュアル）に応じてサーバ３００に送信（アップロード）する第１の処理を行う。
なお、第１の記録ボックス１２１は、映像記録部２７内の特定の記録領域であってもよいし、そうでなくてもよい。
【００２６】
当該属性は、例えば、施設管理者が付与する緊急、警告、情報の３段階の情報や、施設やカメラ１００を特定する情報である。また施設管理者が記載できるメモ機能を備えるようにいてもよい。
【００２７】
処理装置２００は、センサ１２０から直接、あるいはカメラ１００を介して受信したセンサ１２０のセンサ信号を基に、予め決められた状態を検出した場合に、当該検出をトリガーとして当該検出したタイミングの映像ファイルあるいは静止画データを映像記録部２７から読み出してサーバ３００に送信する第２の処理を行う。
なお、処理装置２００は、カメラ１００からの映像ファイルや映像データのうち、施設管理者によって指定されたもの以外は、映像記録部２７の第１の記録ボックス１２１以外の領域に記憶する。
【００２８】
処理装置２００は、サーバ３００からの取得指示に対応する映像ファイルを映像記録部２７から読み出してサーバ３００に送信する第３の処理を行う。
【００２９】
図２は、処理装置２００のディスプレイ２３に表示される録画再生ビュー画面５００を説明するための図である。
図３は、図１に示す処理装置のディスプレイに表示されるアップロードダイアログ画面を説明するための図である。
【００３０】
図２に示すように、録画再生ビュー画面５００は、例えば、カレンダー表示欄５１０、時間表示欄５１２、カメラリアルタイム映像表示欄５１４、カメラサムネイル表示欄５１６を有する。
【００３１】
カレンダー表示欄５１０は、複数のカメラ１００が撮像した映像を表示し、指定されたカメラのサムネイル表示をする日を指定するために用いられる。
時間表示欄５１２は、カレンダー表示欄５１０で指定された日における時間を指定するために用いられる。
カメラサムネイル表示欄５１６は、指定されたカメラについて、カレンダー表示欄５１０で指定された日における時間表示欄５１２で指定された時間のサムネイル画像を表示する。
【００３２】
施設管理者は、録画再生ビュー画面５００上で、操作部２１を操作して、サーバ３００にアップロードしたいカメラ１００及び日時を選択し、タイムラインを合わせる。そして、録画再生ビュー画面５００に備えられたアップロードボタンを選択し、図３に示すアップロードダイアログ（画像属性指定欄）６１０で重要度等の属性を設定する。これにより、処理装置２００は、指定された画像と属性をサーバ３００にアップロードする。
【００３３】
具体的には、アップロードダイアログ６１０は、録画再生ビュー画面５００で指定されたカメラ名が表示されたカメラ名欄６２１と、指定された通知時刻を表示する通知時刻欄６２２と、通知する映像又は静止画が表示されたインデント画像欄６２３と、インデント画像の属性（例えば、緊急、警告、情報）を指定するための属性指定欄６２４と、最終的なサーバ３００へのアップロード指示を入力するための通知開始ボタン６２５とを有する。
【００３４】
［サーバ３００］
サーバ３００は、処理部３１及び映像記録部３３を有する。
サーバ３００は、処理装置２００から受信した映像ファイルを映像記録部３３に記録する。
【００３５】
サーバ３００は、当該サーバの操作者（第２の操作者）、あるいは管理者端末４００の操作者（第２の操作者）の操作に応じた操作信号に応じて、指定された映像ファイルの取得指示を処理装置２００に送信する。
【００３６】
処理部３１は、処理装置２００から前記第１の処理に応じて受信した映像ファイルあるいは静止画データを映像記録部３３の第２の記録ボックス（インシデント映像ボックス）３３１に記録する。
処理部３１は、処理装置２００から第２の処理に応じて受信した映像ファイルあるいは静止画データを映像記録部３３の第３の記録ボックス３３２に記録する。
【００３７】
処理装置２００では、第１の処理で受信した映像ファイルを記録する第２の記録ボックス３３１と、第２の処理で受信した映像ファイルを記録する第３の記録ボックス３３２とを分けたことで、それらの記憶容量を個別に管理できる。
【００３８】
処理部３１は、映像記録部３３から読み出した映像ファイルあるいは静止画データを所定のアルゴリズムで変換等して再生する。これにより、映像管理のセキュリティを高めることができる。
【００３９】
サーバ３００は、管理者端末４００からの要求等によって、例えば、第２の記録ボックス３３１及び第３の記録ボックス３３２から静止画を読み出してサムネイル画面を含む管理画面データを生成し、これを管理者端末４００に送信する。
【００４０】
管理者端末（例えば、スマートフォンや、携帯電話や、タブレット端末など）４００は、操作部４１、ディスプレイ４３及び処理部４５を有する。管理者端末４００は、例えば、デスクトップあるいは携帯型のコンピュータである。
管理者端末４００は、処理装置２００から受信した管理画面データに応じた管理画面をディスプレイ４３に表示する。
管理者端末４００は、その操作者（第２の操作者）の操作に応じた操作信号をサーバ３００に送信する。例えば、第２の操作者は、管理画面内のサムネイル画像から静止画を指定すると、サーバ３００からその指定した静止画に対応した映像ファイルを受信する。
これにより、サーバ３００の第２の映像記録部３３１及び第３の映像記録部３３２から読み出された映像ファイルに応じた映像がディスプレイ４３に表示される。
【００４１】
操作者は、管理者端末４００を操作してログインし、第２の記録ボックス３３１を共有して閲覧する。
管理者端末４００は、操作者の操作に応じて、施設、重要度、日時でフィルタ／ソートして抽出する。
また、セキュリティを考慮して、サーバ３００から管理者端末４００にダウンロードできないようにする。
【００４２】
［全体処理］
以下。映像監視システム１の動作例を説明する。
【００４３】
図４及び図５は、図１に示す映像監視システム１の全体処理の概要を示す図である。
以下、図４及び図５の各ステップについて説明する。
ステップＳ１０１：
カメラ１００は、施設内の撮像範囲の動画を撮像する。また、カメラ１００の処理部１３は、撮像した動画をメモリ１１に記録する。
【００４４】
ステップＳ１０２：
カメラ１００は、メモリ１１から出した映像データを処理装置２００に送信する。
処理装置２００は、受信した映像データに応じた映像をディスプレイ２３に表示する。
【００４５】
ステップＳＴ１０３：
処理装置２００は、映像ファイルを受信して映像記録部３３に記録する。
【００４６】
ステップＳ１０４：
施設管理者（第１の操作者）は、処理装置２００のディスプレイ２３に表示された映像記録部３３から読み出した映像ファイルの映像を見ながら、操作部２１を操作して、共有したい映像箇所（インシデント）を指定する。
処理部２９は、指定された映像箇所に対応する映像ファイルを、映像記録部２７の第１の記録ボックス１２１に記録する。また、施設管理者による操作部２１の操作に応じて、属性が当該映像ファイルに関連付けて記録される。
【００４７】
ステップＳ１０５：
施設管理者が、操作部２１を操作して指定した映像に関するアップロード操作をする。
【００４８】
ステップＳ１０６：
処理部２９は、ステップＳ１０５で指定された映像に関連する静止画を特定し、これをサーバ３００に送信する。
【００４９】
ステップＳ１０７：
サーバ３００は、処理装置２００から静止画データを受信する。
【００５０】
ステップＳ１０８：
サーバ３００は、ステップＳ１０７で受信した静止画データを第２の記録ボックス３３１に記録する。
【００５１】
ステップＳ１０９：
サーバ３００は、第２の記録ボックス３３１から静止画を読み出してサムネイル画面を含む管理画面データを生成する。
【００５２】
ステップＳ１１０：
サーバ３００は、ステップＳ１０９で生成した管理画面データを管理者端末４００に送信する。
【００５３】
ステップＳ１１１：
管理者端末４００は、ステップＳ１１０で受信した管理画面データに応じた管理画面をディスプレイ４３に表示する。
【００５４】
ステップＳ１１２：
管理者端末４００の管理者は、ディスプレイ４３に表示された管理画面（サムネイル画面）を見ながら、操作部４１を操作して、気になる箇所があると、それに関連する映像アップロード取得指示を操作部４１を操作して入力する。
【００５５】
ステップＳ１１３：
管理者端末４００は、ステップＳ１１２で生成した取得指示をサーバ３００に送信する。
【００５６】
ステップＳ１１４：
サーバ３００は、管理者端末４００から映像の取得指示を受信する。
【００５７】
ステップＳ１１５：
サーバ３００は、ステップＳ１１４で受信した取得指示に係る映像ファイルを取得するための映像取得指示を処理装置２００に送信する。
【００５８】
ステップＳ１１６：
処理装置２００は、サーバ３００から映像取得指示を受信する。
【００５９】
ステップＳ１１７：
処理装置２００の処理部２９は、映像記録部２７の第１の記録ボックス１２１から、映像取得指示に係る映像ファイルを読み出す。
【００６０】
ステップＳ１１８：
処理装置２００の処理部２９は、ステップＳ１１７で読み出した映像ファイルをサーバ３００に送信する。
【００６１】
ステップＳ１１９：
サーバ３００は、ステップＳ１１８の映像ファイルを処理装置２００から受信する。
【００６２】
ステップＳ１２０：
サーバ３００の処理部３１は、ステップＳ１１８で受信した映像ファイルを映像記録部３３の第２の記録ボックス３３１に記録する。
このとき、第２の記録ボックス３３１において、当該映像ファイルは、ステップＳ１０８で記録された静止画とリンクして記録される。また、属性情報（インシデント情報）も関連付けられる。
【００６３】
ステップＳ１２１：
サーバ３００の処理部３１は、ステップＳ１２０で記録した映像ファイルを用いて、それを表示する管理者画面データを生成する。
【００６４】
ステップＳ１２２：
サーバ３００は、ステップＳ１２１で生成した管理画面データを管理者端末４００に送信する。
【００６５】
ステップＳ１２３：
管理者端末４００は、ステップＳ１２２で受信した管理画面データに応じた管理画面をディスプレイ４３に表示する。当該管理画面には、映像ファイルに応じた映像が表示される。
【００６６】
以上説明したように、映像監視システム１によれば、処理装置２００は、カメラ１００で撮像した映像に関する静止画を自動的にサーバ３００にアップロードする機能に加えて、施設管理者が処理装置２００に表示される映像を基に指定した画像をサーバ３００にアップロードできる。これにより、従来に比べて、監視に必要な画像・映像をサーバ３００にアップロードでき、監視精度を高めることができる。すなわち、センサ１２０の配置等の理由で、カメラ１００で拾いきれないインシデントの画像をサーバ３００及び管理者端末４００に提供することができる。
【００６７】
また、映像監視システム１によれば、処理装置２００において、第１の処理で受信した映像ファイルを記録する第２の記録ボックス３３１と、第２の処理で受信した映像ファイルを記録する第３の記録ボックス３３２とを分けたことで、それらの記憶容量を個別に管理できる。これにより、施設管理者によるインシデントのみを記録する第２の記録ボックス３３１を用いて容量管理をし、課金ができる。
【００６８】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。例えば、上記した実施形態は、必ずしも説明した全ての構成を備えるものに限定されるものではない。また、ある実施形態の構成の一部を他の実施形態の構成に置き換えることが可能である。また、ある実施形態の構成に他の実施形態の構成を加えることも可能である。
【００６９】
上述した実施形態では、図４に示すように、処理装置２００は、ステップＳ１０６で静止画をアプロードしたが、図６に示すように、ステップＳ１０４で第１の記録ボックス１２１に記録された映像ファイル、あるいはその一部の映像データをサーバ３００にアップロードするようにしてもよい（図６のステップＳ１０６ａ）。
【００７０】
この場合に、サーバ３００は、映像ファイルを受信し（Ｓ１０７ａ）、これを映像記録部３３の第２の記録ボックス３３１に記録する（Ｓ１０８ａ）。
また、サーバ３００は、当該映像ファイルを含む管理者画面を生成し（Ｓ１０９ａ）、これを管理者端末４００に提供して（Ｓ１１０ａ）、表示させる（Ｓ１１１ａ）。
【００７１】
図６に示す動作例では、ステップＳ１０６ａにおいて静止画ではなく、映像ファイルを処理装置２００からサーバ３００に送信するため、管理者端末４００において早いタイミングでインシデントに関する映像ファイルを再生できる。
【産業上の利用可能性】
【００７２】
本発明は、カメラで撮像した動画等を取得して再生する映像システムに適用可能である。
【符号の説明】
【００７３】
１…映像監視システム
１００…カメラ
１１…メモリ
１３…処理部
２００…処理装置
２１…操作部
２３…ディスプレイ
２５…メモリ
２７…映像記録部
１２１…第１の記録ボックス
２９…処理部
３００…サーバ
３１…処理部
３３…映像記録部
３３１…第２の記録ボックス
３３２…第３の記録ボックス
４００…管理者端末
４１…操作部
４３…ディスプレイ
４５…処理部
【図１】
2019106650.tif 000003
【図２】
2019106650.tif 000004
【図３】
2019106650.tif 000005
【図４】
2019106650.tif 000006
【図５】
2019106650.tif 000007
【図６】
2019106650.tif 000008